【手続補正書】
【提出日】平成20年8月20日(2008.8.20)
【手続補正１】
【補正対象書類名】明細書
【補正対象項目名】特許請求の範囲
【補正方法】変更
【補正の内容】
【特許請求の範囲】
【請求項１】  合成ゴムエラストマーであって、以下：
少なくとも１種の第一の水素付加されたトリブロック熱可塑性エラストマー成分；
少なくとも１種の第二の水素付加されたトリブロック熱可塑性エラストマー成分；および
少なくとも１種の環状の不飽和ポリオレフィン結晶性ポリマー、
を含み、ここで、該少なくとも１種の第一の水素付加されたトリブロック熱可塑性エラストマー成分は、該少なくとも１種の第二の水素付加されたトリブロック熱可塑性エラストマー成分よりも高い分子量を有し、該少なくとも１種の環状の不飽和ポリオレフィン結晶性ポリマーは、架橋される、合成ゴムエラストマー。
【請求項２】  請求項１に記載の合成ゴムエラストマーであって、ここで、前記第一の水素付加されたトリブロック熱可塑性エラストマーの含有量が、約２５重量％〜約７０重量％の間である、合成ゴムエラストマー。
【請求項３】  請求項１に記載の合成ゴムエラストマーであって、ここで、前記第二の水素付加されたトリブロック熱可塑性エラストマーの含有量が、約２０重量％〜約５０重量％の間である、合成ゴムエラストマー。
【請求項４】  請求項１に記載の合成ゴムエラストマーであって、ここで、前記少なくとも１種の環状の不飽和ポリオレフィン結晶性ポリマーの含有量が、約１０重量％〜約３０重量％の間である、合成ゴムエラストマー。
【請求項５】  請求項１に記載の合成ゴムエラストマーであって、ここで、前記第一の水素付加されたトリブロック熱可塑性エラストマーが、スチレン−エチレン／プロピレン−スチレンのトリブロックまたはスチレン−エチレン／ブチレン−スチレンのトリブロックである、合成ゴムエラストマー。
【請求項６】  請求項１に記載の合成ゴムエラストマーであって、ここで、前記第二の水素付加されたトリブロック熱可塑性エラストマーが、スチレン−エチレン／プロピレン−スチレンのトリブロックまたはスチレン−エチレン／ブチレン−スチレンのトリブロックである、合成ゴムエラストマー。
【請求項７】  請求項５に記載の合成ゴムエラストマーであって、ここで、前記第一の水素付加されたトリブロック熱可塑性エラストマーが、約１０重量％〜約２５重量％の間のスチレン含有量を有する、合成ゴムエラストマー。
【請求項８】  請求項６に記載の合成ゴムエラストマーであって、ここで、前記第二の水素付加されたトリブロック熱可塑性エラストマーが、約１０重量％〜約２５重量％の間のスチレン含有量を有する、合成ゴムエラストマー。
【請求項９】  請求項１に記載の合成ゴムエラストマーであって、ここで、前記環状の不飽和ポリオレフィン結晶性ポリマーが、環状ポリブタジエン、環状ポリイソプレンおよび１，２−ジメチレンシクロヘキサンの環状ポリマーからなる群から選択される、合成ゴムエラストマー。
【請求項１０】  分解防止剤をさらに含む、請求項１に記載の合成ゴムエラストマー。
【請求項１１】  前記分解防止剤が、酸化防止剤およびオゾン化防止剤からなる群から選択される、請求項１０に記載の合成ゴムエラストマー。
【請求項１２】  補強剤をさらに含む、請求項１に記載の合成ゴムエラストマー。
【請求項１３】  前記補強剤が、シラン処理されたシリカを含む、請求項１２に記載の合成ゴムエラストマー。
【請求項１４】  前記シラン処理されたシリカが、ヒュームドシリカ充填物と連結したシランである、請求項１３に記載の合成ゴムエラストマー。
【請求項１５】  請求項１に記載の合成ゴムエラストマーであって、前記環状の不飽和ポリオレフィン結晶性ポリマーが、電子ビーム照射、γ線照射または化学的な加硫からなる群から選択されるプロセスを使用して架橋される、合成ゴムエラストマー。
【請求項１６】  請求項１に記載の合成ゴムエラストマーから作製される、物品。
【請求項１７】  肺動脈監視バルーンカテーテル、血管バルーンカテーテル、尿道カテーテル、グローブ、包帯、テープ、血圧カフおよびコンドームからなる群から選択される、請求項１６に記載の物品。
【請求項１８】  合成ゴムエラストマーであって、以下：
少なくとも１種のスチレン−エチレン／ブチレン−スチレンのトリブロックコポリマー成分；
少なくとも１種のスチレン−エチレン／プロピレン−スチレントリブロックコポリマー成分；および
少なくとも１種の環状の不飽和ポリオレフィン結晶性ポリマー、
を含み、ここで、該少なくとも１種のスチレン−エチレン／ブチレン−スチレンのトリブロックコポリマー成分は、該少なくとも１種のスチレン−エチレン／プロピレン−スチレントリブロックコポリマー成分よりも高い分子量を有し、該環状の不飽和ポリオレフィン結晶性ポリマーは、電子ビーム照射を使用して架橋される、合成ゴムエラストマー。
【請求項１９】  請求項１８に記載の合成ゴムエラストマーから作製される、物品。
【請求項２０】  合成ゴムエラストマーの物品を作製するための方法であって、該方法は、以下：
少なくとも１種の第一の水素付加されたトリブロック熱可塑性エラストマー成分、少なくとも１種の第二の水素付加されたトリブロック熱可塑性エラストマー成分、および少なくとも１種の環状の不飽和ポリオレフィン結晶性ポリマーを混合して、最終ポリマー混合物を形成する、工程であって、ここで、該少なくとも１種の第一の水素付加されたトリブロック熱可塑性エラストマー成分は、該少なくとも１種の第二の水素付加されたトリブロック熱可塑性エラストマー成分よりも高い分子量を有する、工程；
該最終ポリマー混合物から物品を形成する、工程；および
該物品を架橋する、工程、
を包含する、方法。
【請求項２１】  合成ゴムエラストマーの物品を作製するための方法であって、該方法は、以下：
少なくとも１種の第一の水素付加されたトリブロック熱可塑性エラストマー成分と少なくとも１種の第二の水素付加されたトリブロック熱可塑性エラストマー成分とを混合し、水素付加されたトリブロック熱可塑性エラストマー混合物を形成する、工程であって、ここで、該少なくとも１種の第一の水素付加されたトリブロック熱可塑性エラストマー成分は、該少なくとも１種の第二の水素付加されたトリブロック熱可塑性エラストマー成分よりも高い分子量を有する、工程；
少なくとも１種の環状の不飽和ポリオレフィン結晶性ポリマーを該水素付加されたトリブロック熱可塑性エラストマー混合物中に混合し、最終ポリマー混合物を形成する、工程；
該最終ポリマー混合物から物品を形成する、工程；および
該物品を架橋する、工程、
を包含する、方法。
【請求項２２】  請求項２１に記載の合成ゴムエラストマーの物品を作製するための方法であって、ここで、前記第一の水素付加されたトリブロック熱可塑性エラストマーの含有量が、約２５重量％〜約７０重量％の間である、方法。
【請求項２３】  請求項２１に記載の合成ゴムエラストマーの物品を作製するための方法であって、ここで、前記第二の水素付加されたトリブロック熱可塑性エラストマーの含有量が、約２０重量％〜約５０重量％の間である、方法。
【請求項２４】  請求項２１に記載の合成ゴムエラストマーの物品を作製するための方法であって、ここで、前記少なくとも１種の環状の不飽和ポリオレフィン結晶性ポリマーの含有量が、約１０重量％〜約３０重量％の間である、方法。
【請求項２５】  請求項２１に記載の合成ゴムエラストマーの物品を作製するための方法であって、ここで、前記第二の水素付加されたトリブロック熱可塑性エラストマーが、スチレン−エチレン／プロピレン−スチレンのトリブロックまたはスチレン−エチレン／ブチレン−スチレンのトリブロックである、方法。
【請求項２６】  請求項２１に記載の合成ゴムエラストマーの物品を作製するための方法であって、ここで、前記第一の水素付加されたトリブロック熱可塑性エラストマーが、スチレン−エチレン／プロピレン−スチレンのトリブロックまたはスチレン−エチレン／ブチレン−スチレンのトリブロックである、方法。
【請求項２７】  請求項２５に記載の合成ゴムエラストマーの物品を作製するための方法であって、ここで、前記第二の水素付加されたトリブロック熱可塑性エラストマーが、約１０重量％〜約２５重量％の間のスチレン含有量を有する、方法。
【請求項２８】  請求項２７に記載の合成ゴムエラストマーの物品を作製するための方法であって、ここで、前記第一の水素付加されたトリブロック熱可塑性エラストマーが、約１０重量％〜約２５重量％の間のスチレン含有量を有する、方法。
【請求項２９】  請求項２６に記載の合成ゴムエラストマーの物品を作製するための方法であって、ここで、前記環状の不飽和ポリオレフィン結晶性ポリマーが、環状ポリブタジエン、環状ポリイソプレンおよび１，２−ジメチレンシクロヘキサンの環状ポリマーからなる群から選択される、方法。
【請求項３０】  分解防止剤をさらに含む、請求項２１に記載の合成ゴムエラストマーの物品を作製するための方法。
【請求項３１】  請求項３０に記載の合成ゴムエラストマーの物品を作製するための方法であって、ここで、前記分解防止剤が、酸化防止剤およびオゾン化防止剤からなる群から選択される、方法。
【請求項３２】  補強剤をさらに含む、請求項２１に記載の合成ゴムエラストマーの物品を作製するための方法。
【請求項３３】  前記補強剤が、シラン処理されたシリカを含む、請求項３２に記載の合成ゴムエラストマーの物品を作製するための方法。
【請求項３４】  前記シラン処理されたシリカが、ヒュームドシリカ充填物と連結したシランである、請求項３３に記載の合成ゴムエラストマーの物品を作製するための方法。
【請求項３５】  請求項２１に記載の合成ゴムエラストマーの物品を作製するための方法であって、ここで、前記不飽和ポリオレフィン結晶性ポリマーが、電子ビーム照射、γ線照射または化学的な加硫からなる群から選択されるプロセスを使用して架橋される、方法。
【請求項３６】  請求項２１に記載の合成ゴムエラストマーの物品を作製するための方法であって、ここで、前記物品が、肺動脈監視バルーンカテーテル、血管バルーンカテーテル、尿道カテーテル、グローブ、包帯、テープ、血圧カフおよびコンドームからなる群から選択される、方法。